(57)【特許請求の範囲】
【請求項１】
斜面部分に敷設される遮水シートの表面に堆積保持された緑化基盤に水を供給して緑化を図るための緑化施設であって、
前記斜面部分と連続してこれの上方に形成された平坦部分に遮水シートを敷設するとともに、前記平坦部分に築堤を施して貯水池を形成し、かつ前記築堤の遮水シートに沿った底面部分には、前記貯水池の内部と前記斜面部分の緑化基盤とを接続する導水材を配設することを特徴とする遮水シート表面の緑化施設。
【請求項２】
前記平坦部分に形成された貯水池の内部には、砂利等の通水材を投入して滞水層を形成するとともに、これの周囲を覆土で覆うことにより、前記貯水池を地下ダム型式としたことを特徴とする請求項１に記載の遮水シート表面の緑化施設。
【請求項３】
前記平坦部分に形成された貯水池の内部には、貯留水の表面を覆うようにして、水草やマット部材等からなる浮遊材料が浮遊設置されていることを特徴とする請求項１に記載の遮水シート表面の緑化施設。
【発明の詳細な説明】
【０００１】
【発明の属する技術分野】
この発明は、遮水シート表面の緑化施設に関し、特に、斜面部分に敷設される遮水シートの表面に堆積保持された緑化基盤に水を供給して緑化を図るための緑化施設に関する。
【０００２】
【従来の技術】
例えば、産業廃棄物や一般廃棄物を投棄する埋立形の廃棄物処分場では、自然の地形を利用したり地盤を掘削して造成された凹状の地盤の内部に、好ましくは軟質の合成樹脂系あるいはゴム系の遮水シートを敷設して遮水工を施した後に、廃棄物を埋立ててゆくとともに、所定の厚さに廃棄物を埋め立てたら覆土で覆い、かかる廃棄物層と覆土層とを交互に積層しながら埋立て作業を行ってゆくことになる。
【０００３】
そして、このような廃棄物処分場では、埋立て作業が完了した後の最上層の廃棄物あるいは覆土の上方を覆って遮水シートを敷設し、雨水等の廃棄物への浸透を防止するとともに、かかる遮水シートの表面に覆土を堆積させ、これを植生基盤として緑化を施して覆土の浸食を防止するとともに、良好な景観が得られるようにすることがある。
【０００４】
また、かかる廃棄物処分場では、廃棄物は、一般に、凹状の地盤の内部のみならず、これの上方に盛り立てるようにし投棄されることになるため、廃棄物の上部には、外方に向って下方に傾斜する盛土法面が斜面部分として形成されることになり、かかる斜面部分にも、例えば緑化基材の吹付け作業等によって覆土が植生基盤として堆積されることになる。
【０００５】
【発明が解決しようとする課題】
しかしながら、このような斜面部分では、遮水シートが覆土をすべりやすくすることから、その勾配によって、植生基盤としての覆土を例えば３０ｃｍ以上の大きな厚さで堆積させてゆくことが困難であるとともに、例えば１〜１０ｃｍ程度の薄い覆土では十分な保水性を保つことができず、したがって、降雨が少なく水の供給が不足する場合には、かかる斜面部分の植生基盤が乾燥して芝草等の植生が枯れるおそれがあるという課題があった。
【０００６】
これに対して、溜め池などによって付近に水が存在している場合には、乾燥時に散水を施したり特殊なかんがい用水方式によって水を供給する方法も考えられているが、これらを行うための設備に多大なコストがかかるとともに、高価な水道水を用いる場合には、さらに多くの費用と労力とを要することになるという課題があった。
【０００７】
そこで、この発明は、このような従来の課題に着目してなされたもので、簡易な施設によって、斜面部分の植生基盤に常時水を供給して、芝草等の植生が枯れるのを容易に防止することのできる、遮水シート表面の緑化施設を提供することを目的とするものである。
【０００８】
【課題を解決するための手段】
この発明は、上記目的を達成するためになされたもので、その要旨は、斜面部分に敷設される遮水シートの表面に堆積保持された緑化基盤に水を供給して緑化を図るための緑化施設であって、前記斜面部分と連続してこれの上方に形成された平坦部分に遮水シートを敷設するとともに、前記平坦部分に築堤を施して貯水池を形成し、かつ前記築堤の遮水シートに沿った底面部分には、前記貯水池の内部と前記斜面部分の緑化基盤とを接続する、例えば不織布や細管等からなる導水材を配設することを特徴とする遮水シート表面の緑化施設にある。
【０００９】
また、この発明の緑化施設は、前記平坦部分に形成された貯水池の内部には、砂利等の通水材を投入して滞水層を形成するとともに、これの周囲を覆土で覆うことにより、前記貯水池を地下ダム型式とすることが好ましい。
【００１０】
さらに、この発明の緑化施設は、前記平坦部分に形成された貯水池の内部には、貯留水の表面を覆うようにして、水草やマット部材等からなる浮遊材料を浮遊設置し、水の蒸発を減少させたり、遮水シートの耐久性を増すようにすることが好ましい。
【００１１】
そして、この発明の遮水シート表面の緑化施設によれば、斜面部分と連続する平坦部分に形成された貯水池に、降雨による雨水等を貯留しておき、かかる貯留水を、不織布や細管等からなる導水材を介して必要量を徐々に緑化基盤に供給することにより、緑化基盤の厚さが薄い場合であっても当該緑化基盤を常時保水させておくことができ、これによって、斜面部分の植生が枯れるのを容易に防止することができるとともに、貯水池は、例えば土堤材料を用いて平坦部分に容易かつ安価に設けることができる。
【００１２】
また、貯水池を地下ダム型式とすることにより、あるいは貯水池内の貯留水の表面を覆うようにして、水草やマット部材等からなる浮遊材料を浮遊設置することにより、美観を向上させたり、貯留水の蒸発による減少量を極力少なくすることが可能になる。
【００１３】
【発明の実施の形態】
次に、この発明の好ましい実施形態を、添付図面を参照しつつ詳細に説明する。この実施形態の遮水シート表面の緑化施設は、一例として、埋立形の廃棄物処分場に投棄された廃棄物を覆って最終覆土層を形成する際に、かかる投棄された廃棄物と最終覆土層との間に介在するようにして敷設された、雨水等の廃棄物への浸透を防止するための遮水シートの表面に、当該最終覆土層を堆積保持するとともに、この最終覆土層を緑化基盤として緑化を図るために採用されたものである。
【００１４】
すなわち、この実施形態によれば、廃棄物は、覆土層と交互に積層しながら、廃棄物処分場の凹状の地盤の内部のみならず、これの上方にまで盛り立てられることになるため、廃棄物の最上層部は盛土状に堆積して、その外周部分には、外方に向って下方に傾斜する盛土法面が斜面部分として形成されることになる。したがって、このような盛土法面に遮水シートを敷設するとともに、これの表面に堆積保持される緑化基盤としての最終覆土層に適度の水を供給して緑化を維持するためにこの発明の緑化施設を採用したものである。
【００１５】
そして、この実施形態の緑化施設によれば、図１に示すように、投棄された廃棄物１０の盛土法面による斜面部分１１と連続してこれの上方に形成された平坦部分１２に遮水シート１３を敷設するとともに、この平坦部分１２に築堤１４を施して貯水池１５を形成し、かつ築堤１４の遮水シート１３に沿った底面部分には、貯水池１５の内部と斜面部分１１の緑化基盤１６とを接続する不織布からなる導水材１７を配設することによって構成されている。
【００１６】
ここで、斜面部分１１は、その勾配が１：４．５程度の緩傾斜面であって、その表面には、砂質土やモルタル、織布等の下地材により下地処理された後、この斜面部分１１を覆って法面遮水シート１８が敷設されるとともに、この法面遮水シート１８の表面には、種子植物を含む緑化基材の吹付け作業や土羽打ち等によって、緑化基盤１６が、例えば１０〜３０ｃｍ程度の厚さで斜面部分１１を覆う最終覆土として堆積保持されることになる。
【００１７】
すなわち、この法面遮水シート１８としては、例えば特開平９−１８４１４１号公報に記載されているような、軟質又は硬質の合成樹脂系あるいはゴム系のシート部材１９に、多数の線条が不規則な多数のループをなして絡み合うヘチマ構造２０を固着したものを使用することができ、かかる構成の法面遮水シート１８によれば、ヘチマ構造２０に緑化基材を付着させるようにして堆積させることにより、斜面部分１１に緑化基盤１６を強固に堆積保持することが可能になる。
【００１８】
また、法面遮水シート１８の表面に堆積保持される緑化基盤１６としては、例えば特開平９−１８４１４１号公報に記載されているような厚層基材を使用することができ、かかる厚層基材は、植生用の種子植物と、化学肥料やｐＨ緩衝剤等の肥料類と、普通ポルトランドセメントや高分子系樹脂等の接合剤と、土や泥炭等の生育基盤材とを混合装置において水とともに混合してなるもので、例えばこれをスラリー化し、法面遮水シート１８に向かって吹き付け作業を行うことにより、当該法面遮水シート１８の表面に所定の厚さで容易に付着堆積することが可能なものである。
【００１９】
そして、この実施形態の緑化施設によれば、斜面部分１１と連続する盛土天端の平坦部分１２には、遮水シート１３が敷設されるとともに築堤１４により貯水池１５が形成されている。
【００２０】
すなわち、遮水シート１３は、軟質又は硬質の合成樹脂系あるいはゴム系のシート部材からなり、砂質土やモルタル、織布等の下地材により下地処理された後、平坦部分１２を覆って敷設されるとともに、その周囲が法面遮水シート１８と溶着等により接合されて、連続一体化されることになる。
【００２１】
また、築堤１４は、平坦部分１２の周縁部に、築堤材料として例えば遮水性に富んだ公知の土質材料を用いて容易に築造することができるとともに、遮水シート１３の表面には、築堤１４の底面部分を横断するようにして不織布からなる帯状の導水材１７を、平坦部分１２の周縁部の周方向に所定間隔をおいて多数配設した後に、築堤材料を盛り立ててゆくことによって、導水材１７が、貯水池１５の内部と斜面部分１１の緑化基盤１６とを接続するようにして遮水シート１３に沿って配設されることになる。
【００２２】
なお、導水材１７を構成する不織布の厚さや幅、平坦部分１２の周方向に沿った配設領域、配設枚数などは、緑化基盤１６への水の供給量などを鑑みて、適宜設計することができる。
【００２３】
そして、かかる築堤１４により形成された貯水池１５の内部には、例えば降雨時の雨水が貯留されることになるとともに、その底部には、砂利等が敷設されて、遮水シート１３に降り注ぐ紫外線を遮断し、かつ遮水シート１３を押さえ付けるようになっている。
【００２４】
また、貯水池１５の内部には、水性の草が植え付けられているとともに、貯留水の表面を覆うようにして水草や緑色マット等からなる浮遊材料２１が浮遊設置されていて、貯留水が蒸発により減少するのを極力防止できるようになっている。
【００２５】
そして、上述のような構成を有するこの実施形態の緑化施設によれば、降雨のない乾燥時においても、貯水池１５内の貯留水を、導水材１７を介して必要量を徐々に緑化基盤１６に供給することにより、緑化基盤１６を常時保水させておくことができ、これによって、薄層基材による斜面部分１１の植生が枯れるのを容易に防止することが可能になる。
【００２６】
一方、図２はこの発明の他の実施形態を示すものであり、この実施形態によれば、平坦部分１２の周縁部のやや内側に築造された築堤１４により形成された貯水池１５の内部には、砂利等の通水材２２が投入されて滞水層２３が形成されるとともに、これの周囲を覆土２４で覆うことにより、貯水池１５を地下ダム型式としたものである。
【００２７】
なお、通水材２２は、粒子間の大きな間隙や空洞などによってこれが充填される領域の内部に大きな通水空間を確保するもので、砂利の他樹脂やガラス容器など空隙の大きい材料を使用することができる。
【００２８】
また、この実施形態によれば、築堤１４の底面部分には、導水材１７として、帯状の不織布に加えて有孔細管が、平坦部分１２の周縁部の周方向に所定間隔をおいて配設されることにより、貯水池１５の内部と斜面部分１１の緑化基盤１６とを接続している。
【００２９】
そして、かかる実施形態によっても、降雨のない乾燥時において、貯水池１５内の貯留水を、導水材１７を介して必要量徐々に緑化基盤１６に供給することにより、緑化基盤１６を常時保水させておくことができ、これによって、薄層基材による斜面部分１１の植生が枯れるのを容易に防止することが可能になるとともに、貯水池１５が地下ダム型式となっていることにより、貯留水が蒸発により減少するのを極力防止することが可能になる。
【００３０】
また、この発明によれば、遮水シートで最終処分場を覆い、薄い厚さの覆土を行うことにより浸出水をなくし、最終処分場の美観を向上するとともに遮水シートの耐久性も向上する。
【００３１】
なお、この発明は、上記実施形態の実施の態様のものに限定されるものではなく、各請求項に記載された構成の範囲内において種々に変更して採用することができる。例えば、この発明は、廃棄物処分場の盛土法面に限定されることなく、その他の斜面部分に敷設される遮水シートの表面の緑化基盤のための緑化施設としても使用することができ、また、斜面部分と連続する平坦部分は、盛土の天端面に限定されることなく、斜面部分の中間位置に設けることもできる。さらに、この発明は、廃棄物処分場に限らず、例えば、ゴルフ場のウォーターハザード、簡易貯水池、溜池などのその他の施設の斜面部分に敷設した遮水シート上の緑化基盤に対しても採用することができる。
【００３２】
【発明の効果】
以上詳細に説明したように、この発明の遮水シート表面の緑化施設によれば、斜面部分と連続してこれの上方に形成された平坦部分に遮水シートを敷設するとともに、この平坦部分に築堤を施して貯水池を形成し、かつ形成した築堤の遮水シートに沿った底面部分には、貯水池の内部と斜面部分の緑化基盤とを接続する導水材を配設することによって構成されるので、簡易な施設によって、遮水シートの存在で降雨が浸出水になることを防ぎつつ、斜面部分の植生基盤に常時水を供給して、芝草等の植生が枯れるのを容易に防止することができる。
【００３３】
また、貯水池を地下ダム型式とすることにより、あるいは貯水池内の貯留水の表面を覆うようにして、水草やマット部材等からなる浮遊材料を浮遊設置することにより、美観を向上し、貯留水の蒸発による減少量を極力少なくすることができる。
【図面の簡単な説明】
【図１】この発明の一実施形態にかかる遮水シート表面の緑化施設の構成を示す略示断面図である。
【図２】この発明の他の実施形態にかかる遮水シート表面の緑化施設の構成を示す略示断面図である。
【符号の説明】
１０  廃棄物
１１  斜面部分
１２  平坦部分
１３  遮水シート（平坦部分の遮水シート）
１４  築堤
１５  貯水池
１６  緑化基盤
１７  導水材
１８  法面遮水シート（斜面部分の遮水シート）
２１  浮遊材料
２２  通水材
２３  滞水層
２４  覆土
【図１】
0003896208.tif 000002
【図２】
0003896208.tif 000003